(57)【要約】【課題】インクの温度を適切に検出可能なインクジェット記録装置を提供する。【解決手段】インクジェット記録装置は、インクジェットヘッドと、第一収容器と、複数の第一流路と、第二収容器と、複数の第二流路と、第三流路と、温度センサとを備える。インクジェットヘッドは、複数のヘッドモジュールを含む。第一収容器は、複数のヘッドモジュールに流入するインクを収容する。複数の第一流路には、第一収容器から流出し複数のヘッドモジュールに流入するインクが流れる。第二収容器は、複数のヘッドモジュールから流出したインクを収容する。複数の第二流路には、複数のヘッドモジュールから流出し第二収容器に流入するインクが流れる。第三流路は、第一収容器と第二収容器とを接続する。第三流路には、第一収容器から流出し第二収容器に流入するインクが流れる。温度センサは、第三流路に設けられ、第三流路を流れるインクの温度を検出する。【選択図】図２
2020199673.tif 000002
【特許請求の範囲】
【請求項１】
インクを吐出するノズルが設けられた複数のヘッドモジュールを含むインクジェットヘッドと、
前記複数のヘッドモジュールに流入するインクを収容する第一収容器と、
前記第一収容器と前記複数のヘッドモジュールとを接続し、前記第一収容器から流出し前記複数のヘッドモジュールに流入するインクが流れる、複数の第一流路と、
前記複数のヘッドモジュールから流出したインクを収容する第二収容器と、
前記複数のヘッドモジュールと前記第二収容器とを接続し、前記複数のヘッドモジュールから流出し前記第二収容器に流入するインクが流れる、複数の第二流路と、
前記第一収容器と前記第二収容器とを接続し、前記第一収容器から流出し前記第二収容器に流入するインクが流れる、第三流路と、
前記第三流路に設けられ、前記第三流路を流れるインクの温度を検出する温度センサと、を備える、インクジェット記録装置。
【請求項２】
前記第三流路は、流路抵抗が、１本の前記第一流路の流路抵抗と、前記第一流路が接続される前記ヘッドモジュールの第一接続口及び前記第二流路が接続される前記ヘッドモジュールの第二接続口を繋ぐ、１個の前記ヘッドモジュールの内部に設けられた第四流路における本流路の流路抵抗と、１本の前記第二流路の流路抵抗と、の合計値と同じ流路である、請求項１に記載のインクジェット記録装置。
【請求項３】
前記第三流路は、
前記第一収容器に接続される第五流路と、
前記第二収容器に接続される、流路抵抗が前記第五流路より大きい第六流路と、
前記温度センサが設けられ、前記第五流路と前記第六流路とを接続する、第七流路と、を含む、請求項１又は請求項２に記載のインクジェット記録装置。
【請求項４】
前記第三流路は、前記第五流路の流路抵抗が前記第一流路の流路抵抗と同じ流路である、請求項３に記載のインクジェット記録装置。
【請求項５】
前記第三流路は、前記第五流路の内径が前記第一流路の内径に一致する流路である、請求項４に記載のインクジェット記録装置。
【請求項６】
前記第三流路は、前記第六流路の流路抵抗と、前記第七流路の流路抵抗と、の合計値が、前記第一流路が接続される前記ヘッドモジュールの第一接続口及び前記第二流路が接続される前記ヘッドモジュールの第二接続口を繋ぐ、１個の前記ヘッドモジュールの内部に設けられた第四流路における本流路の流路抵抗と、１本の前記第二流路の流路抵抗と、の合計値と同じ流路である、請求項３に記載のインクジェット記録装置。
【請求項７】
前記第三流路は、前記第六流路の流路抵抗が前記第二流路の流路抵抗より大きい流路である、請求項３から請求項６の何れか１項に記載のインクジェット記録装置。
【請求項８】
インクの温度を調整する温度調整機と、
前記温度調整機を、インクの温度を低下させる第一状態と、インクの温度を上昇させる第二状態と、にする制御器と、を備え、
前記制御器は、
前記温度センサで検出されたインクの温度が設定温度より高い場合、前記温度調整機を前記第一状態とし、
前記温度センサで検出されたインクの温度が前記設定温度より低い場合、前記温度調整機を前記第二状態とする、請求項１から請求項７の何れか１項に記載のインクジェット記録装置。
【発明の詳細な説明】
【技術分野】
【０００１】
本発明は、インクジェット記録装置に関する。
【背景技術】
【０００２】
インクジェット記録装置に関する技術が提案されている。例えば、特許文献１には、画像記録装置が開示されている。画像記録装置は、ヘッド群と、タンクと、インク経路と、温度センサと、ヘッド駆動手段と、制御手段と、印刷モード及び待機モードを有する。ヘッド群は、複数のヘッドから構成される。ヘッドは、複数のノズル孔よりインク滴を吐出する。タンクは、ヘッドへ供給されるインクを貯留する。インク経路は、タンクとヘッドを連結する。インク経路では、循環駆動手段によりインクが循環される。温度センサは、ヘッドに設けられ、ノズル孔近傍の温度を検出する。ヘッド駆動手段は、ヘッドに対してインク滴を吐出させる駆動波形を与える。制御手段は、循環駆動手段及びヘッド駆動手段を制御する。印刷モードは、印刷命令を受け付けた状態である。待機モードは、印刷モード以外の状態である。制御手段は、循環駆動手段によってインク経路にインクを循環させる。制御手段は、インクの循環と同時に、少なくとも一つのヘッドを温度計測用ヘッドとする。温度計測用ヘッドは、ヘッドの温度によって選定される。制御手段は、温度計測用ヘッドに設けられた温度センサの出力値に基づいてインクの温度を制御する。また、画像記録装置は、インク経路にインクを冷却及び／又は加温する温度調整部材を備える。制御手段は、温度センサ出力に基づいて温度調整部材によりインク温度を制御する。制御手段は、待機モード及び印刷モードで温度計測用ヘッドを異ならせる。制御手段は、待機モードの場合には複数のヘッドの内少なくとも一つは駆動波形を与えない非駆動ヘッドとし、非駆動ヘッドを温度計測用ヘッドとする。制御手段は、温度調整部材及び非駆動ヘッド以外の複数のヘッドによりインク温度を制御する。更に、画像記録装置では、温度計測用ヘッドとして、複数のヘッドの中で最も温度が低いヘッドが選定される。
【０００３】
出願人は、特許文献２，３でインクジェット記録装置に関する技術を提案している。インクジェット記録装置は、循環流路を備える。循環流路には、供給側の第一マニホールド及び回収側の第二マニホールドが設けられる。
【先行技術文献】
【特許文献】
【０００４】
【特許文献１】特開２００９−１６６３０７号公報
【特許文献２】特開２０１７−６５０３４号公報
【特許文献３】特開２０１７−１１４０９１号公報
【発明の概要】
【発明が解決しようとする課題】
【０００５】
インクジェット記録装置では、インクジェットヘッドが複数のヘッドモジュールを含む場合がある。ヘッドモジュールには、ノズルが設けられる。インクジェットヘッドは、ヘッドモジュールのノズルから微小なインク滴を吐出する。インクは、温度によって粘度が変化する。従って、インクジェット記録装置では、インクの温度を適切に管理する必要がある。例えば、ヘッドモジュールの温度を検出し、検出された温度をインクの温度とみなす場合、ヘッドモジュール自体の発熱状態に応じて、実際のインクの温度との間に誤差が生じることが予測される。そこで、このような場合には、複数のヘッドモジュールから温度の検出に適したヘッドモジュールを選定する必要がある。発明者は、このような選定を行うことなくインクの温度を適切に検出することが可能なインクジェット記録装置について検討した。
【０００６】
本発明は、インクの温度を適切に検出可能なインクジェット記録装置を提供することを目的とする。
【課題を解決するための手段】
【０００７】
本発明の一側面は、インクを吐出するノズルが設けられた複数のヘッドモジュールを含むインクジェットヘッドと、前記複数のヘッドモジュールに流入するインクを収容する第一収容器と、前記第一収容器と前記複数のヘッドモジュールとを接続し、前記第一収容器から流出し前記複数のヘッドモジュールに流入するインクが流れる、複数の第一流路と、前記複数のヘッドモジュールから流出したインクを収容する第二収容器と、前記複数のヘッドモジュールと前記第二収容器とを接続し、前記複数のヘッドモジュールから流出し前記第二収容器に流入するインクが流れる、複数の第二流路と、前記第一収容器と前記第二収容器とを接続し、前記第一収容器から流出し前記第二収容器に流入するインクが流れる、第三流路と、前記第三流路に設けられ、前記第三流路を流れるインクの温度を検出する温度センサと、を備える、インクジェット記録装置である。
【０００８】
このインクジェット記録装置によれば、ヘッドモジュールの温度に影響されることなく、インクの温度を検出することができる。
【０００９】
インクジェット記録装置では、前記第三流路は、流路抵抗が、１本の前記第一流路の流路抵抗と、前記第一流路が接続される前記ヘッドモジュールの第一接続口及び前記第二流路が接続される前記ヘッドモジュールの第二接続口を繋ぐ、１個の前記ヘッドモジュールの内部に設けられた第四流路における本流路の流路抵抗と、１本の前記第二流路の流路抵抗と、の合計値と同じ流路である、ようにしてもよい。この構成によれば、第三流路でのインクの滞留状態を、次の状態と同様にすることができる。前述の状態は、インクが第一収容器から流出した後、ヘッドモジュールを通過し、第二収容器に流入するまでの状態である。インクが第三流路に滞留する時間を、インクが第一流路、ヘッドモジュール及び第二流路を介して第一収容器から第二収容器に流れるのに要する時間に合わせることができる。
【００１０】
インクジェット記録装置では、前記第三流路は、前記第一収容器に接続される第五流路と、前記第二収容器に接続される、流路抵抗が前記第五流路より大きい第六流路と、前記温度センサが設けられ、前記第五流路と前記第六流路とを接続する、第七流路と、を含む、ようにしてもよい。この場合、前記第三流路は、前記第五流路の流路抵抗が前記第一流路の流路抵抗と同じ流路である、ようにしてもよい。更に、前記第三流路は、前記第五流路の内径が前記第一流路の内径に一致する流路である、ようにしてもよい。また、前記第三流路は、前記第六流路の流路抵抗と、前記第七流路の流路抵抗と、の合計値が、前記第一流路が接続される前記ヘッドモジュールの第一接続口及び前記第二流路が接続される前記ヘッドモジュールの第二接続口を繋ぐ、１個の前記ヘッドモジュールの内部に設けられた第四流路における本流路の流路抵抗と、１本の前記第二流路の流路抵抗と、の合計値と同じ流路である、ようにしてもよい。この他、前記第三流路は、前記第六流路の流路抵抗が前記第二流路の流路抵抗より大きい流路である、ようにしてもよい。これらの構成によれば、ヘッドモジュールに供給されるインクと同等の状態でインクの温度を検出することができる。
【００１１】
インクジェット記録装置は、インクの温度を調整する温度調整機と、前記温度調整機を、インクの温度を低下させる第一状態と、インクの温度を上昇させる第二状態と、にする制御器と、を備え、前記制御器は、前記温度センサで検出されたインクの温度が設定温度より高い場合、前記温度調整機を前記第一状態とし、前記温度センサで検出されたインクの温度が前記設定温度より低い場合、前記温度調整機を前記第二状態とする、ようにしてもよい。この構成によれば、インクの温度を設定温度とすることができる。
【発明の効果】
【００１２】
本発明によれば、インクの温度を適切に検出可能なインクジェット記録装置を得ることができる。
【図面の簡単な説明】
【００１３】
【図１】インクジェット記録装置の概略構成の一例を示す斜視図である。
【図２】記録ユニットの概略構成の一例を示す断面図である。第五流路及び第六流路は、中間部を省略して示す。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。実施形態の各図は、所定の構成を模式的に示したものである。従って、実施形態の各図では、以下に示す複数の構成間の対応は、正確ではない。実施形態の各図でハッチングは、切断面を示す。
【００１５】
＜インクジェット記録装置＞
インクジェット記録装置１０について、図１を参照して説明する。インクジェット記録装置１０は、各種の記録媒体１５を搬送し、記録媒体１５に柄を記録する。図１で記録媒体１５の次の部分に付した模様は、記録媒体１５に記録された柄に対応する。前述の部分は、後述する記録ユニット３０Ｋより搬送方向の下流側となる記録媒体１５の部分である。搬送方向は、インクジェット記録装置１０で記録媒体１５が搬送される方向である。記録媒体１５としては、建築用資材又は布帛が例示される。実施形態では、記録媒体１５として、短尺の記録媒体を例示する。但し、記録媒体は、長尺であってもよい。柄の記録に用いるインクとして、イエロー、マゼンタ、シアン及びブラックの４色を例示する。但し、柄の記録には、これら各色のインクとは異なる色のインクを用いてもよい。インク色数は、３色以下又は５色以上としてもよい。
【００１６】
インクジェット記録装置１０は、搬送機２０と、記録ユニット３０Ｙ，３０Ｍ，３０Ｃ，３０Ｋと、キャリッジ３１と、メインタンク９０Ｙ，９０Ｍ，９０Ｃ，９０Ｋと、供給流路９１Ｙ，９１Ｍ，９１Ｃ，９１Ｋと、制御装置９５とを備える。搬送機２０は、記録媒体１５を搬送方向に搬送する。インクジェット記録装置１０では、搬送機２０による記録媒体１５の搬送は、連続的に行われる。搬送機２０は、ベルトコンベアである。搬送機２０は、公知のインクジェット記録装置の搬送機と同様である。従って、搬送機２０に関するこの他の説明は、省略する。
【００１７】
実施形態では、搬送方向に沿った方向を「第一方向」という。第一方向の一方側を「第一側」といい、第一方向の他方側を「第二側」という。第一方向の第一側を搬送方向の上流側とし、第一方向の第二側を搬送方向の下流側とする。また、第一方向に直交する方向を「第二方向」という。第二方向の一方側を「第三側」といい、第二方向の他方側を「第四側」という。更に、第一方向及び第二方向の両方向に直交する方向を「第三方向」という。第三方向は、鉛直方向とする。第三方向の一方側を「第五側」といい、第三方向の他方側を「第六側」という。第三方向の第五側を鉛直方向の上側とし、第三方向の第六側を鉛直方向の下側とする。
【００１８】
記録ユニット３０Ｙは、イエローインクによって記録媒体１５に柄を記録する。記録ユニット３０Ｙでは、イエローインクが記録媒体１５に向けて吐出される。記録ユニット３０Ｍは、マゼンタインクによって記録媒体１５に柄を記録する。記録ユニット３０Ｍでは、マゼンタインクが記録媒体１５に向けて吐出される。記録ユニット３０Ｃは、シアンインクによって記録媒体１５に柄を記録する。記録ユニット３０Ｃでは、シアンインクが記録媒体１５に向けて吐出される。記録ユニット３０Ｋは、ブラックインクによって記録媒体１５に柄を記録する。記録ユニット３０Ｋでは、ブラックインクが記録媒体１５に向けて吐出される。図１では、記録ユニット３０Ｙ，３０Ｍ，３０Ｃ，３０Ｋの図示は、簡略化されている。記録ユニット３０Ｙ，３０Ｍ，３０Ｃ，３０Ｋに関するこの他の説明は、後述する。
【００１９】
キャリッジ３１には、記録ユニット３０Ｙ，３０Ｍ，３０Ｃ，３０Ｋが第一方向に所定の間隔で隣り合った状態で搭載される。インクジェット記録装置１０では、記録ユニット３０Ｙ，３０Ｍ，３０Ｃ，３０Ｋは、第一方向の第一側から第二側（搬送方向）に、記録ユニット３０Ｙ、記録ユニット３０Ｍ、記録ユニット３０Ｃ及び記録ユニット３０Ｋの順で設けられる。但し、第一方向における記録ユニット３０Ｙ，３０Ｍ，３０Ｃ，３０Ｋの配列順序は、前述の順序とは異なる順序としてもよい。これらの配列順序は、諸条件を考慮して適宜決定される。
【００２０】
メインタンク９０Ｙは、イエローインクを収容する。供給流路９１Ｙは、メインタンク９０Ｙと、記録ユニット３０Ｙとを接続する。イエローインクは、メインタンク９０Ｙから流出し、供給流路９１Ｙを流れて記録ユニット３０Ｙに供給される。メインタンク９０Ｍは、マゼンタインクを収容する。供給流路９１Ｍは、メインタンク９０Ｍと、記録ユニット３０Ｍとを接続する。マゼンタインクは、メインタンク９０Ｍから流出し、供給流路９１Ｍを流れて記録ユニット３０Ｍに供給される。メインタンク９０Ｃは、シアンインクを収容する。供給流路９１Ｃは、メインタンク９０Ｃと、記録ユニット３０Ｃとを接続する。シアンインクは、メインタンク９０Ｃから流出し、供給流路９１Ｃを流れて記録ユニット３０Ｃに供給される。メインタンク９０Ｋは、ブラックインクを収容する。供給流路９１Ｋは、メインタンク９０Ｋと、記録ユニット３０Ｋとを接続する。ブラックインクは、メインタンク９０Ｋから流出し、供給流路９１Ｋを流れて記録ユニット３０Ｋに供給される。
【００２１】
インクジェット記録装置１０では、記録ユニット３０Ｙ，３０Ｍ，３０Ｃ，３０Ｋは、同様の構成を有する。また、メインタンク９０Ｙ，９０Ｍ，９０Ｃ，９０Ｋは、同様の構成を有する。更に、供給流路９１Ｙ，９１Ｍ，９１Ｃ，９１Ｋは、同様の構成を有する。従って、インクジェット記録装置１０では、次の第一構成、第二構成、第三構成及び第四構成は、同様の構成となる。第一構成は、記録ユニット３０Ｙ、メインタンク９０Ｙ及び供給流路９１Ｙの組み合わせである。第二構成は、記録ユニット３０Ｍ、メインタンク９０Ｍ及び供給流路９１Ｍの組み合わせである。第三構成は、記録ユニット３０Ｃ、メインタンク９０Ｃ及び供給流路９１Ｃの組み合わせである。第四構成は、記録ユニット３０Ｋ、メインタンク９０Ｋ及び供給流路９１Ｋの組み合わせである。
【００２２】
実施形態では、記録ユニット３０Ｙ，３０Ｍ，３０Ｃ，３０Ｋを区別しない場合、又はこれらを総称する場合、「記録ユニット３０」という。また、メインタンク９０Ｙ，９０Ｍ，９０Ｃ，９０Ｋを区別しない場合、又はこれらを総称する場合、「メインタンク９０」という。更に、供給流路９１Ｙ，９１Ｍ，９１Ｃ，９１Ｋを区別しない場合、又はこれらを総称する場合、「供給流路９１」という。実施形態では、記録ユニット３０、メインタンク９０及び供給流路９１のうちの２個の組み合わせ又は全部の組み合わせは、同一色用の組み合わせとなる。
【００２３】
制御装置９５は、接続インターフェース９６と、制御器９７とを備える。実施形態では、接続インターフェース９６を「接続Ｉ／Ｆ９６」と記載する。接続Ｉ／Ｆ９６には、温度センサ６０及び温度調整機７０が接続される。温度センサ６０は、記録ユニット３０Ｙ，３０Ｍ，３０Ｃ，３０Ｋにそれぞれ設けられる。温度調整機７０は、記録ユニット３０Ｙ，３０Ｍ，３０Ｃ，３０Ｋにそれぞれ設けられる。温度センサ６０及び温度調整機７０については、後述する。
【００２４】
温度センサ６０から出力された検出値は、接続Ｉ／Ｆ９６を介して制御装置９５に入力される。接続Ｉ／Ｆ９６は、温度センサ６０からの検出値を制御器９７に出力する。これに伴い、制御器９７は、前述の検出値を取得する。制御器９７は、接続Ｉ／Ｆ９６を介して温度調整機７０に指令信号を出力する。図１では、温度センサ６０及び温度調整機７０の図示及び次の電気配線の図示は、省略されている。前述の電気配線は、温度センサ６０及び温度調整機７０と接続Ｉ／Ｆ９６とを接続する電気配線である。制御器９７は、インクジェット記録装置１０で実行される各種の動作を制御する。例えば、制御器９７は、柄の記録を制御する。また、制御器９７は、後述するインクの温度制御を実行する。インクの温度制御によって、メインタンク９０Ｙ，９０Ｍ，９０Ｃ，９０Ｋから記録ユニット３０Ｙ，３０Ｍ，３０Ｃ，３０Ｋに供給された各色のインクの温度が調整される。
【００２５】
インクジェット記録装置１０で記録媒体１５に柄が記録される場合、搬送機２０は、記録媒体１５を搬送方向に連続的に搬送する。記録ユニット３０Ｙ，３０Ｍ，３０Ｃ，３０Ｋは、所定のタイミングで対応する色のインクを記録媒体１５に向けて吐出する。記録ユニット３０Ｙ，３０Ｍ，３０Ｃ，３０Ｋから吐出された各色のインクは、記録媒体１５の表面に着弾する。着弾した各色のインクによって記録媒体１５の表面に柄が記録される。
【００２６】
＜記録ユニット＞
記録ユニット３０について、図２を参照して説明する。記録ユニット３０の説明は、インク色を区別することなく行う。記録ユニット３０は、インクジェットヘッド３２と、第一収容器４０と、複数の第一流路４１と、第二収容器４５と、複数の第二流路４６と、第三流路５０と、温度センサ６０と、温度調整機７０と、連結流路８０と、ポンプ８１とを備える。記録ユニット３０では、第一収容器４０及び第二収容器４５は、インクジェットヘッド３２より第三方向の第五側に設けられる。また、第一収容器４０は、第二収容器４５より第三方向の第五側に設けられる。図２に示す次の矢印は、その部分をインクが流れる方向を示す。前述の矢印は、第一流路４１、第二流路４６、第三流路５０及び連結流路８０の近傍に示す矢印である。また、前述の矢印は、第一収容器４０及び第二収容器４５の内部に示す矢印である。
【００２７】
インクジェットヘッド３２は、ライン型のインクジェットヘッドである。インクジェットヘッド３２は、複数のヘッドモジュール３３を含む。複数のヘッドモジュール３３は、同様の構成を有する。複数のヘッドモジュール３３は、第二方向に並んで配置される。換言すれば、インクジェットヘッド３２は、第二方向に配置された複数のヘッドモジュール３３によって形成される。実施形態では、インクジェットヘッド３２は、２個のヘッドモジュール３３を含む。但し、インクジェットヘッド３２は、３個以上のヘッドモジュール３３を含むようにしてもよい。インクジェットヘッド３２では、ヘッドモジュール３３の数及び配置は、諸条件を考慮して適宜決定される。実施形態では、記録ユニット３０は、ヘッドモジュール３３と、第一流路４１と、第二流路４６とを同じ数だけ備える。
【００２８】
ヘッドモジュール３３は、複数のノズル３４と、第一接続口３５と、第二接続口３６と、第四流路３７とを含む。複数のノズル３４は、ヘッドモジュール３３の第三方向の第六側の面に第二方向に沿って設けられる。記録ユニット３０では、ヘッドモジュール３３は、複数のノズル３４からインクを吐出する。実施形態では、ヘッドモジュール３３に４個のノズル３４が設けられている。但し、このようなノズル３４の数は、例示である。ヘッドモジュール３３に設けるノズル３４の数は、諸条件を考慮して適宜決定される。第一接続口３５及び第二接続口３６は、ヘッドモジュール３３の第三方向の第五側の面に設けられる。第一接続口３５は、ヘッドモジュール３３に供給されるインクの流入口である。第二接続口３６は、ヘッドモジュール３３から回収されるインクの流出口である。
【００２９】
第四流路３７は、ヘッドモジュール３３の内部に設けられる。第四流路３７は、本流路３８と、複数の支流路３９とを含む。本流路３８は、第一接続口３５及び第二接続口３６を繋ぐ。支流路３９は、本流路３８から分岐し、ノズル３４に繋がる。第四流路３７は、ノズル３４と同数の支流路３９を含む。インクは、第一接続口３５を通ってヘッドモジュール３３に流入した後、本流路３８を第二接続口３６の側に流れる。その後、インクは、第二接続口３６を通ってヘッドモジュール３３から流出する。本流路３８を流れるインクの一部は、複数の支流路３９に流入し、複数のノズル３４の側に流れる。
【００３０】
第一収容器４０は、供給側のサブタンクである。即ち、第一収容器４０は、インクジェットヘッド３２に供給されるインクを収容する。換言すれば、第一収容器４０は、複数のヘッドモジュール３３に流入するインクを収容する。複数の第一流路４１は、第一収容器４０と、複数のヘッドモジュール３３とを接続する。複数の第一流路４１には、第一収容器４０から流出し複数のヘッドモジュール３３に流入するインクが流れる。即ち、１本の第一流路４１は、第一収容器４０と、１個のヘッドモジュール３３とを接続する。第一流路４１は、ヘッドモジュール３３で第一接続口３５に接続される。１本の第一流路４１には、第一収容器４０から流出し１個のヘッドモジュール３３に流入するインクが流れる。インクは、第一流路４１を流れた後、第一接続口３５を通ってヘッドモジュール３３に流入する。
【００３１】
第二収容器４５は、回収側のサブタンクである。即ち、第二収容器４５は、インクジェットヘッド３２から回収されたインクを収容する。換言すれば、第二収容器４５は、複数のヘッドモジュール３３から流出したインクを収容する。複数の第二流路４６は、複数のヘッドモジュール３３と、第二収容器４５とを接続する。複数の第二流路４６には、複数のヘッドモジュール３３から流出し第二収容器４５に流入するインクが流れる。即ち、１本の第二流路４６は、１個のヘッドモジュール３３と、第二収容器４５とを接続する。第二流路４６は、ヘッドモジュール３３で第二接続口３６に接続される。１本の第二流路４６には、第二接続口３６を通って１個のヘッドモジュール３３から流出したインクが流れる。インクは、第二流路４６を流れた後、第二収容器４５に流入する。
【００３２】
第三流路５０は、第一収容器４０と、第二収容器４５とを接続する。換言すれば、第一収容器４０及び第二収容器４５は、第三流路５０によって直接接続される。第三流路５０には、第一収容器４０から流出し第二収容器４５に流入するインクが流れる。第三流路５０には、温度センサ６０が設けられる。第三流路５０は、第五流路５１と、第六流路５２と、第七流路５３とを含む。更に、第三流路５０は、支持具５４を含む。第三流路５０では、第五流路５１は、支持具５４より第一収容器４０の側に設けられる。また、第六流路５２は、支持具５４より第二収容器４５の側に設けられる。更に、第七流路５３は、支持具５４の内部に設けられる。従って、第三流路５０では、第五流路５１は、第七流路５３より第一収容器４０の側に設けられ、第六流路５２は、第七流路５３より第二収容器４５の側に設けられる。
【００３３】
第五流路５１は、第一収容器４０に接続される。更に、第五流路５１は、第一収容器４０とは反対側の端部で支持具５４に接続される。第六流路５２は、第二収容器４５に接続される。更に、第六流路５２は、第二収容器４５とは反対側の端部で支持具５４に接続される。第七流路５３は、第五流路５１と第六流路５２とを接続する。即ち、第七流路５３は、支持具５４に接続された第五流路５１と、支持具５４に接続された第六流路５２とを接続する。この点において、支持具５４は、継手として機能する。支持具５４は、温度センサ６０を支持する。インクジェット記録装置１０では、例えば、温度センサ６０の所定の部分を更にキャリッジ３１で支持するようにしてもよい。支持具５４には、挿入孔５５が設けられる。挿入孔５５には、温度センサ６０が挿入される。支持具５４は、封止構造を採用する。封止構造は、温度センサ６０が挿入された挿入孔５５を封止し、挿入孔５５からのインク漏れを抑制する。封止構造には、公知の封止材が用いられる。例えば、封止構造には、Ｏリングが用いられる。支持具５４で採用する封止構造は、諸条件を考慮して適宜決定される。図２では、封止材の図示は、省略されている。
【００３４】
第三流路５０は、流路抵抗が次の３つの流路抵抗の合計値と同じ流路である。ここで、「同じ流路」における「同じ」の意味については、後述する。前述の３つの流路抵抗について、１つ目の流路抵抗は、１本の第一流路４１の流路抵抗である。２つ目の流路抵抗は、本流路３８の流路抵抗である。この場合、本流路３８の流路抵抗は、１個のヘッドモジュール３３を対象とする。３つ目の流路抵抗は、１本の第二流路４６の流路抵抗である。実施形態では、前述の３つの流路抵抗の合計値を「第一合計値」という。流路抵抗は、圧力損失と称される。例えば、２本の流路が直線的で且つ内径及び流路長が一致する場合、流路抵抗は等しくなる。また、例えば、２本の流路が直線的である場合、流路抵抗は、流路の内径に反比例し、流路長に比例する。
【００３５】
上述の「同じ流路」における「同じ」について、実施形態では、「同じ」は、比較対象となる２つの第一値及び第二値が一致している場合を含む（第一値＝第二値）。更に、「同じ」は、第一値が第二値に対して９０％以上１１０％以下である場合を含む（第二値×０．９≦第一値≦第二値×１．１）。但し、第一値及び第二値が「同じ」である場合の第一値と第二値との関係は、次のようにするとよい。即ち、第一値は、第二値に対して９５％以上１０５％以下の範囲に含まれるようにするとよい（第二値×０．９５≦第一値≦第二値×１．０５）。
【００３６】
即ち、第三流路５０は、流路抵抗が第一合計値に対して９０％以上１１０％以下となる流路であるといえる。好ましくは、第三流路５０は、流路抵抗が第一合計値に対して９５％以上１０５％以下となる流路であるといえる。より好ましくは、第三流路５０は、流路抵抗が第一合計値に一致する流路であるといえる。
【００３７】
第三流路５０は、第六流路５２の流路抵抗が第五流路５１の流路抵抗より大きい流路である。即ち、第三流路５０では、第六流路５２の流路抵抗は、第五流路５１の流路抵抗より大きく設定される。実施形態では、「第六流路５２の流路抵抗＞第五流路５１の流路抵抗」とするため、第六流路５２の内径Ｄ２は、第五流路５１の内径Ｄ１より小径に設定される（内径Ｄ２＜内径Ｄ１）。この場合、第七流路５３では、第五流路５１の側の内径は、第五流路５１の内径Ｄ１に一致し、第六流路５２の側の内径は、第六流路５２の内径Ｄ２に一致する。
【００３８】
第三流路５０は、第五流路５１の流路抵抗が第一流路４１の流路抵抗と同じ流路である。ここで、前述した「同じ流路」における「同じ」は、上述した通りである。従って、第三流路５０は、第五流路５１の流路抵抗が第一流路４１の流路抵抗に対して９０％以上１１０％以下となる流路であるといえる。好ましくは、第三流路５０は、第五流路５１の流路抵抗が第一流路４１の流路抵抗に対して９５％以上１０５％以下となる流路であるといえる。より好ましくは、第三流路５０は、第五流路５１の流路抵抗が第一流路４１の流路抵抗に一致する流路であるといえる。実施形態では、第三流路５０は、第五流路５１の内径Ｄ１が第一流路４１の内径Ｄ３に一致する流路である。
【００３９】
第三流路５０は、第六流路５２の流路抵抗と第七流路５３の流路抵抗との合計値が本流路３８の流路抵抗と１本の第二流路４６の流路抵抗との合計値と同じ流路である。実施形態では、第六流路５２の流路抵抗と第七流路５３の流路抵抗との合計値を「第二合計値」という。また、本流路３８の流路抵抗と１本の第二流路４６の流路抵抗との合計値を「第三合計値」という。ここで、前述した「同じ流路」における「同じ」は、上述した通りである。従って、第三流路５０は、第二合計値が第三合計値に対して９０％以上１１０％以下となる流路であるといえる。好ましくは、第三流路５０は、第二合計値が第三合計値に対して９５％以上１０５％以下となる流路であるといえる。より好ましくは、第三流路５０は、第二合計値が第三合計値に一致する流路であるといえる。
【００４０】
第三流路５０は、第六流路５２の流路抵抗が第二流路４６の流路抵抗より大きい流路である。即ち、第三流路５０では、第六流路５２の流路抵抗は、第二流路４６の流路抵抗より大きく設定される。「第六流路５２の流路抵抗＞第二流路４６の流路抵抗」とするため、第六流路５２の内径Ｄ２は、第二流路４６の内径Ｄ４より小径に設定してもよい（内径Ｄ２＜内径Ｄ４）。また、第六流路５２の流路長は、第二流路４６の流路長より長く設定してもよい。
【００４１】
第三流路５０では、第五流路５１は、第一収容器４０の第二方向の次の位置に接続される。前述の位置は、２本の第一流路４１の接続位置より第二方向の第四側の位置である。但し、前述の位置は、例示である。第三流路５０では、第五流路５１は、前述の位置とは異なる第一収容器４０の第二方向の位置に接続するようにしてもよい。例えば、複数の第一流路４１が第一収容器４０に接続される場合、第五流路５１は、複数の第一流路４１の接続位置より第二方向の第三側となる位置に接続するようにしてもよい。また、複数の第一流路４１が第二方向に所定の間隔で第一収容器４０に接続される場合、第五流路５１は、所定の２本の第一流路４１の接続位置の間となる位置に接続するようにしてもよい。第五流路５１が接続される第一収容器４０の第二方向の位置は、諸条件を考慮して適宜決定される。第五流路５１の接続位置及び複数の第一流路４１の接続位置は、第二方向に沿った直線上に所定の間隔で設けるようにするとよい。
【００４２】
第三流路５０では、第六流路５２は、第二収容器４５の第二方向の次の位置に接続される。前述の位置は、２本の第二流路４６の接続位置より第二方向の第四側の位置である。但し、前述の位置は、例示である。第三流路５０では、第六流路５２は、前述の位置とは異なる第二収容器４５の第二方向の位置に接続するようにしてもよい。例えば、複数の第二流路４６が第二収容器４５に接続される場合、第六流路５２は、複数の第二流路４６の接続位置より第二方向の第三側となる位置に接続するようにしてもよい。また、複数の第二流路４６が第二方向に所定の間隔で第二収容器４５に接続される場合、第六流路５２は、所定の２本の第二流路４６の接続位置の間となる位置に接続するようにしてもよい。第六流路５２が接続される第二収容器４５の第二方向の位置は、諸条件を考慮して適宜決定される。第六流路５２の接続位置及び複数の第二流路４６の接続位置は、第二方向に沿った直線上に所定の間隔で設けるようにするとよい。
【００４３】
温度センサ６０は、第三流路５０を流れるインクの温度を検出する。温度センサ６０は、熱電対である。但し、温度センサ６０は、熱電対とは異なるセンサであってもよい。温度センサ６０として採用するセンサは、諸条件を考慮して適宜決定される。温度センサ６０は、支持具５４に支持された状態で第七流路５３に設けられる。温度センサ６０の先端は、第七流路５３内に露出する。これに伴い、温度センサ６０は、先端で第七流路５３を流れるインクと接し、このインクの温度を検出する。
【００４４】
温度調整機７０は、インクの温度を調整する。温度調整機７０は、送風機７１と、加熱器７２とを含む。送風機７１は、温度調整機７０の中で、インクの温度を低下させる冷却装置として機能する。送風機７１としては、公知のファンを採用することができる。この場合、送風機７１としてのファンは、キャリッジ３１に取り付けられる。但し、図１，２では、キャリッジ３１で送風機７１が取り付けられる部分の図示は、省略されている。送風機７１が発生させた風は、例えば、第一収容器４０に当てられる。これに伴い、第一収容器４０に収容されたインクの温度を低下させることができる。この他、送風機７１は、インクジェットヘッド３２、複数の第一流路４１、第二収容器４５及び複数の第二流路４６の一部又は全部に風を送るようにしてもよい。この場合、送風機７１は、第一収容器４０に風を送るようにしてもよく、又は第一収容器４０に風を送らないようにしてもよい。
【００４５】
加熱器７２は、温度調整機７０の中で、インクの温度を上昇させる加熱装置として機能する。加熱器７２としては、公知のヒータを採用することができる。例えば、実施形態では、加熱器７２として、シート状のラバーヒータを採用する。この場合、加熱器７２は、第一収容器４０の外周面に貼り付けられる。この他、加熱器７２は、複数のヘッドモジュール３３（インクジェットヘッド３２）、複数の第一流路４１、第二収容器４５及び複数の第二流路４６の一部又は全部に設けるようにしてもよい。この場合、加熱器７２は、第一収容器４０に設けるようにしてもよく、又は第一収容器４０では省略するようにしてもよい。
【００４６】
連結流路８０は、第二収容器４５と、第一収容器４０とを接続する。連結流路８０には、第二収容器４５から流出し第一収容器４０に流入するインクが流れる。連結流路８０には、ポンプ８１が設けられる。即ち、ポンプ８１の駆動に伴い、インクは、第二収容器４５から流出し、連結流路８０を流れて第一収容器４０に流入する。
【００４７】
記録ユニット３０では、第一収容器４０から複数のヘッドモジュール３３（インクジェットヘッド３２）へとインクを供給しつつ、このインクの一部が複数のヘッドモジュール３３（インクジェットヘッド３２）から第二収容器４５へと回収される。第二収容器４５に回収されたインクは、連結流路８０を介して第一収容器４０に送られる。即ち、記録ユニット３０では、ノズル３４から吐出されないインクが循環される。
【００４８】
インクジェット記録装置１０では、供給流路９１が連結流路８０の次の位置に接続される。前述の位置は、ポンプ８１より第二収容器４５の側となる連結流路８０の位置である。メインタンク９０から流出したインクは、供給流路９１を流れた後、前述の位置から連結流路８０に流入する。これに伴い、インクがメインタンク９０から記録ユニット３０に供給される。上記では説明を省略したが、供給流路９１には、電磁弁９２が設けられる。但し、図１では、電磁弁９２の図示は、省略されている。
【００４９】
メインタンク９０から記録ユニット３０にインクを供給する場合、制御器９７は、電磁弁９２を開放させる。これに伴い、記録ユニット３０へのインクの供給が開始する。制御器９７は、インクの供給を開始させた後、所定のタイミングで電磁弁９２を閉鎖させる。これに伴い、記録ユニット３０へのインクの供給が終了する。メインタンクから記録ユニットへのインクの供給は、公知のインクジェット記録装置でも実施される。インクジェット記録装置１０でも、前述したインクの供給は、公知のインクジェット記録装置と同様に実施される。従って、これに関するこの他の説明は、省略する。
【００５０】
図２では、作図上の理由から、第二方向の第三側の第一流路４１に対して第二収容器４５が奥側に設けられた状態で、前述の第一流路４１及び第二収容器４５が重ねて図示されている。また、図２では、作図上の理由から、第三流路５０（第六流路５２）に対して第二方向の第四側の第一流路４１が奥側に設けられた状態で、第三流路５０（第六流路５２）及び前述の第一流路４１が重ねて図示されている。
【００５１】
＜インクの温度制御＞
記録ユニット３０でのインクの温度制御について、概略を説明する。制御器９７は、インクの温度制御を繰り返して実行する。インクジェット記録装置１０では、インクの温度が予め設定される。設定温度は、５０℃のような特定の温度であってもよく、又は４５℃以上５５℃以下のような所定の温度範囲であってもよい。設定温度として前述の５０℃及び４５℃以上５５℃以下は、何れも例示である。設定温度は、柄の記録に用いられるインクに応じて適宜設定される。この説明では、設定温度は、特定の温度とする。
【００５２】
制御器９７は、温度センサ６０からの検出値が設定温度に対応する設定値であるか否かを判断する。検出値及び設定値の関係について、「検出値＝設定値」は、温度センサ６０で検出されたインクの温度が設定温度であることを示す。また、「検出値＞設定値」は、温度センサ６０で検出されたインクの温度が設定温度より高いことを示す。更に、「検出値＜設定値」は、温度センサ６０で検出されたインクの温度が設定温度より低いことを示す。
【００５３】
検出値が設定値である場合（検出値＝設定値）、制御器９７は、この判断を繰り返して実行する。検出値が設定値より高い場合（検出値＞設定値）、制御器９７は、接続Ｉ／Ｆ９６を介して送風機７１に開始信号を出力する。これに伴い、送風機７１は、回転を開始し、送風状態となる。その後、検出値が設定値となった場合（検出値＝設定値）、制御器９７は、接続Ｉ／Ｆ９６を介して送風機７１に停止信号を出力する。これに伴い、送風機７１は、回転を停止する。検出値が設定値より低い場合（検出値＜設定値）、制御器９７は、接続Ｉ／Ｆ９６を介して加熱器７２に開始信号を出力する。これに伴い、加熱器７２は、加熱を開始し、加熱状態となる。その後、検出値が設定値となった場合（検出値＝設定値）、制御器９７は、接続Ｉ／Ｆ９６を介して加熱器７２に停止信号を出力する。これに伴い、加熱器７２は、加熱を停止する。送風機７１及び加熱器７２への開始信号及び停止信号は、上述した温度調整機７０への指令信号である。
【００５４】
＜実施形態の効果＞
実施形態によれば、次のような効果を得ることができる。
【００５５】
（１）インクジェット記録装置１０は、記録ユニット３０を備える（図１参照）。記録ユニット３０は、インクジェットヘッド３２と、第一収容器４０と、複数の第一流路４１と、第二収容器４５と、複数の第二流路４６と、第三流路５０と、温度センサ６０とを備える（図２参照）。インクジェットヘッド３２は、複数のヘッドモジュール３３を含む。第一収容器４０は、複数のヘッドモジュール３３に流入するインクを収容する。複数の第一流路４１は、第一収容器４０と、複数のヘッドモジュール３３とを接続する。複数の第一流路４１には、第一収容器４０から流出し複数のヘッドモジュール３３に流入するインクが流れる。第二収容器４５は、複数のヘッドモジュール３３から流出したインクを収容する。複数の第二流路４６は、複数のヘッドモジュール３３と、第二収容器４５とを接続する。複数の第二流路４６には、複数のヘッドモジュール３３から流出し第二収容器４５に流入するインクが流れる。第三流路５０は、第一収容器４０と、第二収容器４５とを接続する。第三流路５０には、第一収容器４０から流出し第二収容器４５に流入するインクが流れる。第三流路５０には、温度センサ６０が設けられる。温度センサ６０は、第三流路５０を流れるインクの温度を検出する。そのため、ヘッドモジュール３３の温度に影響されることなく、インクの温度を検出することができる。インクの温度を適切に検出することができる。
【００５６】
（２）第三流路５０は、流路抵抗が、１本の第一流路４１、１個のヘッドモジュール３３の本流路３８及び１本の第二流路４６の３つの流路抵抗の第一合計値と同じ（「９０％以上１１０％以下」を含む）流路である。そのため、第三流路５０でのインクの滞留状態を、次の状態と同様にすることができる。前述の状態は、インクが第一収容器４０から流出した後、ヘッドモジュール３３を通過し、第二収容器４５に流入するまでの状態である。インクが第三流路５０に滞留する時間を、インクが第一流路４１、ヘッドモジュール３３及び第二流路４６を介して第一収容器４０から第二収容器４５に流れるのに要する時間に合わせることができる。
【００５７】
（３）第三流路５０は、第五流路５１と、第六流路５２と、第七流路５３とを含む（図２参照）。第五流路５１は、第一収容器４０に接続される。第六流路５２は、第二収容器４５に接続される。第六流路５２は、流路抵抗が第五流路５１より大きい流路である。第七流路５３には、温度センサ６０が設けられる。第七流路５３は、第五流路５１と第六流路５２とを接続する。第三流路５０は、第五流路５１の流路抵抗が第一流路４１の流路抵抗と同じ（「９０％以上１１０％以下」を含む）流路である。第三流路５０は、第五流路５１の内径Ｄ１が第一流路４１の内径Ｄ３に一致する流路である。第三流路５０は、第二合計値が第三合計値と同じ（「９０％以上１１０％以下」を含む）流路である。第三流路５０は、第六流路５２の流路抵抗が第二流路４６の流路抵抗より大きい流路である。そのため、ヘッドモジュール３３に供給されるインクと同等の状態でインクの温度を検出することができる。
【００５８】
（４）記録ユニット３０は、温度調整機７０と、制御器９７とを備える（図２参照）。温度調整機７０は、送風機７１と、加熱器７２とを含む。制御器９７は、インクの温度制御を実行する。制御器９７は、検出値が設定値より高い場合、送風機７１に開始信号を出力し、その後、検出値が設定値となった場合、送風機７１に停止信号を出力する。送風機７１は、開始信号に応じて回転を開始し、停止信号に応じて回転を停止する。また、制御器９７は、検出値が設定値より低い場合、加熱器７２に開始信号を出力し、その後、検出値が設定値となった場合、加熱器７２に停止信号を出力する。加熱器７２は、開始信号に応じて加熱を開始し、停止信号に応じて加熱を停止する。そのため、インクの温度を設定温度とすることができる。
【００５９】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００６０】
（１）記録ユニット３０では、第一収容器４０は、複数のヘッドモジュール３３に流入するインクを収容する供給側のサブタンクであり、第二収容器４５は、複数のヘッドモジュール３３から流出したインクを収容する回収側のサブタンクである（図２参照）。第一収容器４０は、供給側の第一マニホールドであってもよく、第二収容器４５は、回収側の第二マニホールドであってもよい。前述の第一マニホールドは、特許文献２，３の第一マニホールドに対応し、前述の第二マニホールドは、特許文献２，３の第二マニホールドに対応する。第三流路は、上述した記録ユニット３０の場合と同様、第一収容器としての第一マニホールドと、第二収容器としての第二マニホールドとを接続する。換言すれば、第一収容器としての第一マニホールド及び第二収容器としての第二マニホールドは、第三流路によって直接接続される。第三流路には、第一収容器としての第一マニホールドから流出し第二収容器としての第二マニホールドに流入するインクが流れる。第一マニホールド及び第二マニホールドは、公知のインクジェット記録装置でも採用される。従って、第一マニホールド及び第二マニホールドに関するこの他の説明は、省略する。
【００６１】
（２）第三流路５０は、第六流路５２の流路抵抗が第五流路５１の流路抵抗より大きい流路である。第三流路５０では、第六流路５２の内径Ｄ２は、第五流路５１の内径Ｄ１より小径に設定される（内径Ｄ２＜内径Ｄ１  図２参照）。第三流路５０は、第六流路５２の流路抵抗が第五流路５１の流路抵抗と第七流路５３の流路抵抗との合計値より大きい流路であってもよい。また、第六流路は、調整弁を含むようにしてもよい。調整弁は、第六流路を流れるインクの流量を調整する。これにより、第三流路では、第六流路を流れるインクの流量を減少させることができる。従って、第六流路の流路抵抗を第五流路５１より大きくし、又は第六流路の流路抵抗を第五流路５１の流路抵抗と第七流路５３の流路抵抗との合計値より大きくすることができる。
【００６２】
この他、第三流路５０は、第五流路５１の流路抵抗と第七流路５３の流路抵抗との合計値が第一流路４１の流路抵抗と同じ流路であってもよい。前述した「同じ流路」における「同じ」は、上述した通りである。即ち、第三流路５０は、第五流路５１の流路抵抗と第七流路５３の流路抵抗との合計値が第一流路４１の流路抵抗に対して９０％以上１１０％以下となる流路としてもよい。好ましくは、第三流路５０は、第五流路５１の流路抵抗と第七流路５３の流路抵抗との合計値が第一流路４１の流路抵抗に対して９５％以上１０５％以下となる流路としてもよい。より好ましくは、第三流路５０は、第五流路５１の流路抵抗と第七流路５３の流路抵抗との合計値が第一流路４１の流路抵抗に一致する流路としてもよい。
【００６３】
（３）記録ユニット３０では、第三流路５０は、１本設けられ、１本の第三流路５０に１個の温度センサ６０が設けられる。また、記録ユニット３０では、温度調整機７０は、１台の送風機７１と、１台の加熱器７２とを含む。記録ユニットには、複数の第三流路を設けるようにしてもよい。この場合、記録ユニットには、第三流路と同数の温度センサが設けられる。即ち、１本の第三流路には、１個の温度センサが設けられる。また、温度調整機には、第三流路と同数の送風機及び加熱器が設けられる。即ち、記録ユニットは、１本の第三流路、１個の温度センサ、及び１台の送風機及び１台の加熱器による１組の温度調整機の組み合わせを複数備えるようにしてもよい。制御器９７は、第三流路に設けられた温度センサによって検出された検出値に従い、前述の第三流路及び温度センサに対応する温度調整機の送風機又は加熱器を制御する。
【００６４】
（４）制御装置９５では、制御器９７は、インクの温度制御を実行する。制御器９７は、温度センサ６０からの検出値が設定温度に対応する設定値であるか否かを判断する。制御器９７は、検出値が設定値より高い場合、送風機７１に開始信号を出力し、その後、検出値が設定値となった場合、送風機７１に停止信号を出力する。送風機７１は、開始信号に応じて回転を開始し、停止信号に応じて回転を停止する。また、制御器９７は、検出値が設定値より低い場合、加熱器７２に開始信号を出力し、その後、検出値が設定値となった場合、加熱器７２に停止信号を出力する。加熱器７２は、開始信号に応じて加熱を開始し、停止信号に応じて加熱を停止する。
【００６５】
記録ユニット３０では、送風機７１は、例えば、インクジェット記録装置１０の電源がオンである場合、常時、送風状態としてもよい。制御器９７は、検出値が設定値より高い場合、送風機７１に高速信号を出力し、その後、検出値が設定値となった場合、送風機７１に低速信号を出力する。送風機７１は、高速信号に応じて高速回転し、低速信号に応じて低速回転する。送風機７１への高速信号及び低速信号は、上述した温度調整機７０への指令信号である。
【００６６】
記録ユニット３０では、加熱器７２は、例えば、インクジェット記録装置１０の電源がオンである場合、常時、加熱状態としてもよい。制御器９７は、検出値が設定値より低い場合、加熱器７２に高温信号を出力し、その後、検出値が設定値となった場合、加熱器７２に保温信号を出力する。加熱器７２は、高温信号に応じて加熱温度を高め、保温信号に応じて加熱温度を低下する。加熱器７２への高温信号及び保温信号は、上述した温度調整機７０への指令信号である。
【００６７】
（５）温度調整機７０は、送風機７１と、加熱器７２とを含む。温度調整機７０では、送風機７１は、インクの温度を低下させる冷却装置として機能し、加熱器７２は、インクの温度を上昇させる加熱装置として機能する。温度調整機では、送風機７１とは異なる公知の機器を冷却装置として採用するようにしてもよく、また、加熱器７２とは異なる公知の機器を加熱装置として採用するようにしてもよい。例えば、温度調整機では、冷却装置及び加熱装置の一方又は両方として、ペルチェ素子を用いた機器を採用するようにしてもよい。温度調整機として採用する冷却装置及び加熱装置は、諸条件を考慮して適宜決定される。
【００６８】
（６）第一流路４１、第二流路４６、第五流路５１及び第六流路５２の各流路は、長尺の１本の管とした（図２参照）。例えば、第一流路４１は、次のような態様の連続する流路としてもよい。前述の態様は、短尺の複数の管を接続した態様である。複数の管の接続には、公知の継手を用いることができる。第一流路４１となる複数の管は、同一内径の管であってもよく、又は異なる内径の管であってもよい。第二流路４６、第五流路５１及び第六流路５２についても、第一流路４１と同様、短尺の複数の管を接続した態様としてもよい。但し、第一流路４１、第二流路４６、第三流路５０、本流路３８、第五流路５１、第六流路５２及び第七流路５３では、流路抵抗は、上記同様の関係に設定される。
【００６９】
第三流路５０は、第五流路５１と、第六流路５２と、第七流路５３とを含む。更に、第三流路５０は、支持具５４を含む。第三流路では、支持具５４は、省略してもよい。この場合、第三流路は、１本の管によって形成又は複数の管を接続して形成された流路としてもよい。第三流路を形成する管には、挿入孔が設けられる。挿入孔は、前述の管の外周壁を貫通する。第三流路が２本の管を継手で接続した流路であるとする。この場合、挿入孔は、継手に設けるようにしてもよい。挿入孔は、継手の外周壁を貫通する。温度センサ６０は、挿入孔に挿入され、第三流路に設けられる。インクジェット記録装置では、例えば、温度センサ６０の所定の部分をキャリッジ３１で支持するようにしてもよい。温度センサ６０の先端は、第三流路内に露出する。これに伴い、温度センサ６０は、支持具５４に支持された場合（図２参照）と同様、先端で第三流路を流れるインクと接し、このインクの温度を検出する。第三流路は、封止構造を採用する。封止構造は、温度センサ６０が挿入された挿入孔を封止し、挿入孔からのインク漏れを抑制する。封止構造には、公知の封止材が用いられる。第三流路で採用する封止構造は、諸条件を考慮して適宜決定される。
【００７０】
（７）インクジェット記録装置を、記録ユニット３０がライン型のインクジェットヘッド３２を備えるインクジェット記録装置１０とした（図１参照）。インクジェット記録装置としては、インクジェット記録装置１０とは異なるタイプの装置が実用化されている。この説明では、この異なるタイプのインクジェット記録装置を「シリアル型」という。シリアル型のインクジェット記録装置では、柄の記録は、記録ユニットを搭載したキャリッジを第二方向に往復移動させながら行われる。搬送機は、キャリッジの第二方向の第四側から第三側への移動と、キャリッジの第二方向の第三側から第四側への移動に対応させて、記録媒体を搬送方向に搬送する。即ち、搬送機による記録媒体の搬送は、キャリッジが第二方向の第三側又は第四側の移動端に到達したタイミングで間欠的に行われる。
【００７１】
シリアル型のインクジェット記録装置が複数色の記録ユニットを備える場合、各色用の記録ユニットは、第二方向に隣り合った状態でキャリッジに搭載される。記録ユニットでは、インクジェットヘッドは、上記同様、複数のヘッドモジュールを含む。但し、複数のヘッドモジュールは、第一方向に並んで配置される。複数のノズルは、ヘッドモジュールの第三方向の第六側の面に第一方向に沿って設けられる。即ち、シリアル型のインクジェット記録装置では、記録ユニットは、図２に示す「第二方向」が「第一方向」となる状態でキャリッジに搭載される。シリアル型のインクジェット記録装置は、既に実用化された公知の装置である。従って、これに関するこの他の説明は、省略する。
【００７２】
（８）第一方向の第一側を搬送方向の上流側とし、第一方向の第二側を搬送方向の下流側とした（図１参照）。第一方向の第一側及び第二側は、これとは反対であってもよい。即ち、第一方向の第一側は、搬送方向の下流側であってもよい。第一方向の第二側は、搬送方向の上流側であってもよい。第一方向の第一側から第二側を見て、左側を第二方向の第三側とし、右側を第二方向の第四側とした（図１参照）。第二方向の第三側及び第四側は、これとは反対であってもよい。即ち、第二方向の第三側は、第一方向の第一側から第二側を見て右側であってもよい。第二方向の第四側は、第一方向の第一側から第二側を見て左側であってもよい。
【符号の説明】
【００７３】
１０  インクジェット記録装置、  １５  記録媒体、  ２０  搬送機
３０，３０Ｙ，３０Ｍ，３０Ｃ，３０Ｋ  記録ユニット、  ３１  キャリッジ
３２  インクジェットヘッド、  ３３  ヘッドモジュール、  ３４  ノズル
３５  第一接続口、  ３６  第二接続口、  ３７  第四流路、  ３８  本流路
３９  支流路、  ４０  第一収容器、  ４１  第一流路、  ４５  第二収容器
４６  第二流路、  ５０  第三流路、  ５１  第五流路、  ５２  第六流路
５３  第七流路、  ５４  支持具、  ５５  挿入孔、  ６０  温度センサ
７０  温度調整機、  ７１  送風機、  ７２  加熱器、  ８０  連結流路
８１  ポンプ、  ９０，９０Ｙ，９０Ｍ，９０Ｃ，９０Ｋ  メインタンク
９１，９１Ｙ，９１Ｍ，９１Ｃ，９１Ｋ  供給流路、  ９２  電磁弁
９５  制御装置、  ９６  接続インターフェース（接続Ｉ／Ｆ）、  ９７  制御器
Ｄ１，Ｄ２，Ｄ３，Ｄ４  内径
【図１】
2020199673.tif 000003
【図２】
2020199673.tif 000004